(57)【要約】【課題】  結合される２部材間の熱膨張率の差による軋みを抑制することができる固定具及び照明器具を提供する。【解決手段】  第１の部材たる枠体７と第２の部材たるセード５とを互いに結合させるセード用固定具１において、枠体７に結合する部位とセード５に結合する部位とを連結する部位が、枠体７に結合する部位とセード５との距離を変化させる方向に弾性を有する。枠体７とセード５とで熱膨張率が異なる場合にも、熱膨張率の差による歪みがセード用固定具１の弾性変形によって吸収されるから、軋みが抑制される。【選択図】図１
2006127813.tif 000002
【特許請求の範囲】
【請求項１】
環形状の第１の部材と、第１の部材の内径よりも小さい外径を有する第２の部材とを、第１の部材が第２の部材を囲む形で互いに結合させる固定具であって、
第１の部材に結合する第１の固定部と、第１の部材の周方向において第１の固定部に並ぶ位置で第２の部材に結合する第２の固定部と、第１の固定部と第２の固定部とを連結する連結部とを有し、
連結部が、第１の固定部と第２の部材との距離を変化させる方向に弾性を有することを特徴とする固定具。
【請求項２】
連結部は、第１の固定部と第２の固定部とが並ぶ方向に直交する方向のうち、弾性変形しやすい方向と弾性変形しにくい方向とを有し、弾性変形しやすい方向を第１の固定部と第２の部材との距離を変化させる方向に一致させたことを特徴とする請求項１記載の固定具。
【請求項３】
光源を保持する器具本体と、器具本体に取り付けられ開口を有し開口の内部に光源を収納して光源の光を配光するセードと、セードを囲む環形状の枠体と、透光性を有する材料からなり枠体に保持されセードの開口を覆う透光パネルとを備え、
第１の部材を枠体とし、第２の部材をセードとして、請求項１又は２記載の固定具によって枠体とセードとを結合させたことを特徴とする照明器具。
【発明の詳細な説明】
【技術分野】
【０００１】
本発明は、２部材を互いに結合させるための固定具及び固定具によって枠体がセードに結合した照明器具に関するものである。
【背景技術】
【０００２】
従来から、透光パネルを保持した枠体をセードに取り付けることによりセードの開口を透光パネルで覆った照明器具が提供されている（例えば、特許文献１参照）。
【０００３】
この種の照明器具の一例を図９に示す。この照明器具は、光源としてのランプＬａが取り付けられるソケット３と、筒状であって一端が天井面Ｃに固定され内部にソケット３を保持しソケット３とともに器具本体を構成するホルダ４と、ホルダ４の他端に取り付けられランプＬａの光を配光するセード５とを備える。
【０００４】
ホルダ４は、例えばアルミダイキャストからなり、外側に突出したフランジ部４１，４２を両端の開口の周囲に有する。一方のフランジ部４１は天井面にねじ止めされ、他方のフランジ部４２はセード５にねじ止めされる。
【０００５】
セード５は、例えば合成樹脂からなり、下端部に近い位置ほど内径及び外径を大きくするすりばち状に形成され、上端部にはランプＬａが挿通される開口を有し、下端部にはランプＬａの光が導出される開口を有する。以下、単にセード５の開口といった場合は、セード５の下端部の開口を指す。
【０００６】
セード５の開口は、透光性を有する材料からなる透光パネル６によって覆われる。透光パネル６は環状の枠体７に保持され、枠体７がセード５に取り付けられることによって透光パネル６はセード５に取り付けられている。枠体７の下端部の内径は、セード５の開口の内径と同程度としてある。
【０００７】
ここで、セード５と枠体７とには、互いに熱膨張率が異なる材料が用いられることが多い。例えば、セード５をアクリル樹脂（線膨張係数８×１０−５（１／℃））製、枠体７を鉄（線膨張係数１．２×１０−５（１／℃））製とした場合を考える。ランプＬａが例えば１５０Ｗの水銀灯であったときには枠体７の温度が８０℃程度になることがある。このとき、セード５の開口側の端部の外径を４００ｍｍとすると、２０℃のときと比較して、セード５は枠体７よりも直径が約１．６ｍｍも多く膨張する。このような場合、セード５を枠体７に直接固定していると、セード５に割れが生じる可能性がある。
【０００８】
そこで、従来は、図１１に示すように、セード５の開口の全周から外側へフランジ部５１を突設するとともに、枠体７に、セード５を囲む筒形状の本体部７１を設け、本体部７１に螺合したねじＳ４をセード５のフランジ部５１の上面に当接させることにより、枠体７をセード５に結合していた。この構成を採用すれば、ねじＳ４がセード５のフランジ部５１の上で摺動することにより、セード５と枠体７との熱膨張率の差が吸収され、セード５の割れが防止される。
【０００９】
また、透光パネル６と枠体７とにも、互いに熱膨張率が異なる材料が用いられることが多い。例えば、透光パネル６をガラス（線膨張係数０．８×１０−５（１／℃））製、枠体７をアルミニウム（線膨張係数２．４×１０−５（１／℃））製とした場合を考える。ランプＬａが例えば４００Ｗの水銀灯であったときには透光パネル６の温度が２００℃程度になることがある。このとき、透光パネル６の外径を４００ｍｍとすると、２０℃のときと比較して、枠体７は透光パネル６よりも直径が約１．２ｍｍも多く膨張することになる。このような場合、透光パネル６を枠体７に直接固定していると、透光パネル６に割れが生じる可能性がある。
【００１０】
そこで、従来は、図１０及び図１１に示すように、透光パネル６の周囲にパッキン６１を設けるとともに、枠体７に、本体部７１の下端部から内側に突設された環形状の支持部７２を設け、支持部７２に設けたスペーサ７３にねじ止めされた押え板８と支持部７２との間にパッキン６１を挟持することにより透光パネル６を枠体７に保持していた。この構成を採用すれば、パッキン６１の弾性変形や、押え板８と支持部７２との間でのパッキン６１のスライド移動により、透光パネル６と枠体７との熱膨張率の差が吸収され、透光パネル６の割れが防止される。
【特許文献１】実開平５−７７８１２号公報
【発明の開示】
【発明が解決しようとする課題】
【００１１】
しかし、上記従来例においては、セード５のフランジ部５１によって枠体７を支持する構造となっているため、衝撃など熱膨張以外の要因によってセード５が変形しても枠体７を支持することができるように、セード５のフランジ部５１を大きくする必要があった。したがって、セード５のフランジ部５１に合わせて枠体７の支持部７２の径方向の幅寸法Ｗを大きくする必要があり、見栄えが悪くなっていた。また、ねじＳ４がフランジ部５１上を摺動する際に軋み音が発生することがあった。
【００１２】
また、パッキン６１の弾性変形や、押え板８と支持部７２との間でのパッキン６１のスライド移動により、透光パネル６と枠体７との熱膨張率の差を吸収していたため、熱と応力とによってパッキン６１が劣化しやすかった。また、押え板８と支持部７２との間でパッキン６１がスライド移動する際に軋み音が発生することがあった。さらに、スペーサ７３を設けるために支持部７２の径方向の幅寸法Ｗを確保する必要があったので、見栄えが悪くなっていた。
【００１３】
本発明は上記事由に鑑みて為されたものであり、その目的は、互いに結合される２部材間の熱膨張率の差による軋みを抑制することのできる固定具及び照明器具を提供することにある。
【課題を解決するための手段】
【００１４】
請求項１の発明は、環形状の第１の部材と、第１の部材の内径よりも小さい外径を有する第２の部材とを、第１の部材が第２の部材を囲む形で互いに結合させる固定具であって、第１の部材に結合する第１の固定部と、第１の部材の周方向において第１の固定部に並ぶ位置で第２の部材に結合する第２の固定部と、第１の固定部と第２の固定部とを連結する連結部とを有し、連結部が、第１の固定部と第２の部材との距離を変化させる方向に弾性を有することを特徴とする。
【００１５】
この発明によれば、第１の部材と第２の部材とで熱膨張率が異なる場合にも、熱膨張率の差による歪みが連結部の弾性変形によって吸収されるから、軋みが抑制される。
【００１６】
請求項２の発明は、請求項１の発明において、連結部は、第１の固定部と第２の固定部とが並ぶ方向に直交する方向のうち、弾性変形しやすい方向と弾性変形しにくい方向とを有し、弾性変形しやすい方向を第１の固定部と第２の部材との距離を変化させる方向に一致させたことを特徴とする。
【００１７】
この発明によれば、熱膨張率の差による歪みを吸収する効果を確保しながらも、第１の部材が第２の部材から脱落する方向への連結部の変形が防止される。
【００１８】
請求項３の発明は、光源を保持する器具本体と、器具本体に取り付けられ開口を有し開口の内部に光源を収納して光源の光を配光するセードと、セードを囲む環形状の枠体と、透光性を有する材料からなり枠体に保持されセードの開口を覆う透光パネルとを備え、第１の部材を枠体とし、第２の部材をセードとして、請求項１又は２記載の固定具によって枠体とセードとを結合させたことを特徴とする。
【００１９】
この発明によれば、枠体とセードとが互いに熱膨張率の異なる材料で構成されていても、熱膨張率の差による歪みが固定具によって吸収され、軋みが抑制される。
【発明の効果】
【００２０】
本発明の固定具は、第１の部材に結合する第１の固定部と第２の部材に結合する第２の固定部とを連結する連結部が、第１の固定部と第２の部材との距離を変化させる方向に弾性を有するので、第１の部材と第２の部材とで熱膨張率が異なる場合にも、熱膨張率の差による歪みが連結部の弾性変形によって吸収されるから、軋みが抑制される。また、本発明の照明器具は、第１の部材を枠体とし、第２の部材をセードとして、上記固定具によって枠体とセードとを結合させたので、枠体とセードとが互いに熱膨張率の異なる材料で構成されていても、熱膨張率の差による歪みが固定具によって吸収され、軋みが抑制される。
【発明を実施するための最良の形態】
【００２１】
以下、本発明を実施するための最良の形態について、図面を参照しながら説明する。なお、本実施形態における照明器具の基本構成は従来例で説明した照明器具と共通であるので、共通する構成については同じ符号を付して図示並びに説明を省略する。
【００２２】
本実施形態は、図１に示すようにセード用固定具１を用いて、第１の部材としての枠体７と第２の部材としてのセード５とを互いに結合させるとともに、図６に示すようにパネル用固定具２を用いて、第１の部材としての枠体７と第２の部材としての透光パネル６とを互いに結合させたものである。
【００２３】
まず、セード用固定具１について詳しく説明する。セード用固定具１は、図２に示すように、本体金具１１と、本体金具１１に結合する補助金具１２とで構成されている。本体金具１１と補助金具１２とは、それぞれ例えば金属板に打ち抜き加工や曲げ加工を施すことによって形成されている。
【００２４】
本体金具１１は、長方形状であって一端部にねじ穴１１ａが貫設され他端部にリベット穴１１ｂが貫設された本体部１１ｃと、リベット穴１１ｂ付近において本体部１１ｃの短手方向の一端部から本体部１１ｃの厚さ方向に突設された支持部１１ｄと、支持部１１ｄの先端から突設され本体部１１ｃに対向する挟み部１１ｅとを有する。また、本体金具１１は、ねじ穴１１ａ付近とリベット穴１１ｂ付近とで互いに逆方向に曲げてあり、リベット穴１１ｂ付近の部位がねじ穴１１ａ付近の部位に対して支持部１１ｄの突出方向に突出するように、本体部１１ｃの長手方向の中央部は傾斜している。ここで、挟み部１１ｅと本体部１１ｃとの間隔は、セード５のフランジ部５１の幅寸法よりも僅かに大きくしてある。また、本体部１１ｃのねじ穴１１ａの周囲には、支持部１１ｄと同じ側に突出するカウンタシンク１１ｆを設けてある。
【００２５】
補助金具１２は、リベット穴１２ａが貫設された長方形状の本体部１２ｂと、本体部１２ｂの一端から本体部１２ｂの厚さ方向に突設された押え部１２ｃとを有し全体として断面Ｌ字形状に形成されている。
【００２６】
そして、セード用固定具１をセード５に固定するには、まず、セード５のフランジ部５１を挟み部１１ｅと本体部１１ｃとの間に挿入する。次に、補助金具１２の押え部１２ｃを支持部１１ｄに向けて本体金具１１のリベット穴１１ｂと補助金具１２のリベット穴１２ａとの位置を合わせ、両リベット穴１１ｂ，１２ａに挿通されたリベットＲをかしめることにより補助金具１２を本体金具１１に固定する。ここにおいて、図３に示すように補助金具１２の押え部１２ｃと本体金具１１の支持部１１ｄとの間にセード５のフランジ部５１が挟持される。すなわち、本体金具１１のリベット穴１１ｂ近傍と、支持部１１ｄと、挟み部１１ｅと、補助金具１２とが第２の固定部１０ｂを構成する。
【００２７】
また、セード用固定具１を枠体７に固定するには、図４に示すように枠体７の本体部７１に設けた貫通穴７１ａに挿通されたねじＳ１を本体金具１１のねじ穴１１ａに螺合させる。つまり、本体金具１１のねじ穴１１ａ近傍が第１の固定部１０ａである。また、本体金具１１の本体部１１ｃの長手方向の中央部が連結部１０ｃである。セード５と枠体７とを結合させた状態では、第１の固定部１０ａと第２の固定部１０ｂとは枠体７の周方向に並び、連結部１０ｃは本体部１１ｃの厚さ方向、すなわち、第１の固定部１０ａと第２の固定部１０ｂとが並ぶ方向に交差する方向であって第１の固定部１０ａとセード５との距離を変化させる方向（枠体７の径方向）に弾性を有する。また、セード用固定具１は、本体部１１ｃの短手方向には変形しにくいから、枠体７の位置が上下にずれるおそれがない。
【００２８】
次に、パネル固定具２について説明する。パネル固定具２は、例えば金属板に打ち抜き加工や曲げ加工を施すことによって形成され、図５に示すように、長手方向の一端部にねじ穴２ａが貫設された長方形状の本体部２ｂと、本体部２１の長手方向の端部であってねじ穴２ａから離れた側の端部から延長され本体部２ｂよりも幅狭に形成された延長部２ｃと、それぞれ延長部２ｃから突設され本体部２ｂの短手方向において互いに対向する挟み部２ｄ，２ｅとを有する。さらに、ねじ穴２ａの周囲には、挟み部２ｄ，２ｅと同じ方向へ突出するカウンタシンク２ｆを設けてある。挟み部２ｄ，２ｅ間の隙間の幅は透光パネル６の厚さ寸法よりも僅かに大きくしてある。また、本体部２ｂと延長部２ｃとの境界部と本体部２ｂのねじ穴付近とは互いに逆方向に曲げられており、本体部２ｂの長手方向の中央部は、延長部２ｃとねじ穴２ａ付近とに対し、延長部２ｃを挟み部２ｄ，２ｅの突出方向へ突出させる向きに傾斜している。
【００２９】
パネル固定具２は、図６に示すように、透光パネル６を挟み部２ｄ，２ｅの間に挟持することによって透光パネル６に結合し、枠体７の本体部７１に設けられた貫通穴（図示せず）を貫通してねじ穴２ａに螺合するねじＳ２で枠体７にねじ止めされることによって枠体７に結合する。すなわち、パネル用固定具２においてねじ穴２ａ付近が第１の固定部２０ａとなり、延長部２ｃ及び挟み部２ｄ，２ｅが第２の固定部２０ｂとなり、本体部２ｂの長手方向の中央部が連結部２０ｃとなっている。ここにおいて、第１の固定部２０ａと第２の固定部２０ｂとは枠体７の周方向に並ぶ。また、連結部２０ｃは、本体部２ｂの厚さ方向、すなわち、第１の固定部２０ａと第２の固定部２０ｂとが並ぶ方向に交差する方向であって第１の固定部２０ｂと透光パネル６との距離を変化させる方向（枠体７の径方向）に弾性を有する。連結部２０ｃは本体部２ｂの短手方向には変形しにくいから、枠体７の支持部７２と枠体７側の挟み部２ｅとの間に隙間を空け、パネル用固定具２の挟み部２ｅと枠体７の支持部７２とが擦れ合うことを防いで軋み音の発生を防止することができる。
【００３０】
ここで、セード用固定具１及びパネル用固定具２はそれぞれ１個のみ図示したが、それぞれ枠体７の周方向に位置をずらして複数個用いること、例えば９０°ずつ位置をずらして４個用いることが望ましい。
【００３１】
上記構成によれば、セード５と枠体７との熱膨張率の差による歪みがセード用固定具１の弾性変形によって吸収され、透光パネル６と枠体７との熱膨張率の差による歪みがパネル用固定具２の弾性変形によって吸収されるから、軋みが抑制される。さらに、従来例のようにセード５のフランジ部５１上を摺動するねじＳ４によって枠体７を支持する場合や、枠体７にスペーサ７３を設ける場合に比べ、枠体７の支持部７２の径方向の幅寸法Ｗを小さくして見栄えを向上することができる。
【００３２】
なお、セード用固定具１やパネル用固定具２をセード５や透光パネル６や枠体７に固定する方法は上述した方法に限られない。例えば、セード用固定具１においては、リベット穴１１ｂや支持部１１ｄや挟み部１１ｅや補助金具１２を設ける代わりに図７に示すようにねじ穴１１ｇを設け、図８に示すようにねじＳ３を用いたねじ止めによってセード用固定具１をセード５に固定してもよい。この場合、第２の固定部１０ｂはねじ穴１１ｇ付近となり、フランジ部５１のないセード５にも取り付けることができる。
【図面の簡単な説明】
【００３３】
【図１】本発明の実施形態のセード用固定具付近を示す平面図である。
【図２】同上のセード用固定具を示す分解斜視図である。
【図３】同上のセード用固定具とセードとの結合の様子を示す一部破断した斜視図である。
【図４】同上の枠体の要部を示す斜視図である。
【図５】同上のパネル用固定具と枠体との結合の様子を示す斜視図である。
【図６】同上のパネル用固定具付近を示す平面図である。
【図７】同上の別の形態におけるセード用固定具を示す斜視図である。
【図８】同上の別の形態のセード用固定具付近を示す平面図である。
【図９】従来の照明器具を示す一部破断した正面図である。
【図１０】同上の枠体及び透光パネルの要部を示す斜視図である。
【図１１】同上の要部を示す断面図である。
【符号の説明】
【００３４】
１  セード用固定具
２  パネル用固定具
５  セード
６  透光パネル
７  枠体
１０ａ，２０ａ  第１の固定部
１０ｂ，２０ｂ  第２の固定部
１０ｃ，２０ｃ  連結部
Ｌａ  ランプ
【図１】
2006127813.tif 000003
【図２】
2006127813.tif 000004
【図３】
2006127813.tif 000005
【図４】
2006127813.tif 000006
【図５】
2006127813.tif 000007
【図６】
2006127813.tif 000008
【図７】
2006127813.tif 000009
【図８】
2006127813.tif 000010
【図９】
2006127813.tif 000011
【図１０】
2006127813.tif 000012
【図１１】
2006127813.tif 000013